(57)【特許請求の範囲】
【請求項１】
駆動電力を生成する電力生成手段と、
前記駆動電力が供給されたときに発光する複数の発光手段と、
前記複数の発光手段のうち第１発光手段に前記駆動電力を供給するとともに、他の発光手段への前記駆動電力の供給を抑制する供給手段と、
前記複数の発光手段の劣化量を測定する測定手段と、
前記第１発光手段の劣化量が閾値を超える場合には、前記他の発光手段のうちの第２発光手段に前記駆動電力を供給するとともに、前記第１発光手段への前記駆動電力の供給を抑制するように前記供給手段を制御する制御手段と、を含み、
前記制御手段は、所定指示情報を受け付けると、前記供給手段に、前記第１発光手段に前記駆動電力を供給するとともに前記他の発光手段への前記駆動電力の供給を抑制する動作を行わせ、前記第１発光手段の劣化量が前記閾値を超える場合には、前記第２発光手段に前記駆動電力を供給するとともに前記第１発光手段への前記駆動電力の供給を抑制し、また、前記所定指示情報と異なる特定指示情報を受け付けると、前記複数の発光手段に前記駆動電力をそれぞれ供給するように前記供給手段を制御する、照明装置。
【請求項２】
請求項１に記載の照明装置において、
前記測定手段は、前記劣化量として前記複数の発光手段の発光時間を測定する、照明装置。
【請求項３】
請求項１に記載の照明装置において、
前記測定手段は、
前記複数の発光手段の発光時間を計測する計測手段と、
前記照明装置の近傍の湿度または温度を検出する検出手段と、
前記計測手段にて計測された発光時間と、前記検出手段での検出結果と、に基づいて、前記劣化量を算出する算出手段と、を含む照明装置。
【請求項４】
請求項１から３のいずれか１項に記載の照明装置において、
前記複数の発光部のそれぞれは、有機ＥＬ素子により構成される、照明装置。
【請求項５】
請求項１から４のいずれか１項に記載の照明装置において、
前記複数の発光手段は、前記第１発光手段と前記第２発光手段とからなり、
前記制御手段は、前記第２発光手段の劣化量が前記閾値を超える場合には、前記第１発光手段に前記駆動電力を供給するとともに、前記第２発光手段への前記駆動電力の供給を抑制するように前記供給手段を制御する、照明装置。
【請求項６】
請求項１から４のいずれか１項に記載の照明装置において、
前記制御手段は、前記第２発光手段の劣化量が前記閾値を超える場合には、前記他の発光手段のうちの第３発光手段に前記駆動電力を供給するとともに、前記第２発光手段への前記駆動電力の供給を抑制するように前記供給手段を制御する、照明装置。
【請求項７】
駆動電力を生成する電力生成手段と、前記駆動電力が供給されたときに発光する複数の発光手段と、を含む照明装置が行う点灯制御方法であって、
所定指示情報を受け付けた時に行う第１ステップと、
前記所定指示情報と異なる特定指示情報を受け付け付けた時に行う第２ステップと、を有し、
前記第１ステップでは、
前記複数の発光手段のうち第１発光手段に前記駆動電力を供給するとともに、他の発光手段への前記駆動電力の供給を抑制し、
前記複数の発光手段の劣化量を測定し、
前記第１発光手段の劣化量が閾値を超える場合には、前記他の発光手段のうちの第２発光手段に前記駆動電力を供給するとともに、前記第１発光手段への前記駆動電力の供給を抑制し、
前記第２ステップでは、
前記複数の発光手段に前記駆動電力をそれぞれ供給する、点灯制御方法。
【請求項８】
請求項７に記載の制御方法において、
前記測定ステップでは、前記劣化量として前記複数の発光手段の発光時間を測定する、点灯制御方法。
【発明の詳細な説明】
【技術分野】
【０００１】
本発明は、照明装置および点灯制御方法に関する。
【背景技術】
【０００２】
有機ＥＬ（Electro Luminescence）素子を発光素子として用いた照明装置の開発が行われている。有機ＥＬ素子は、駆動時間（発光時間）が長くなると、寿命が短くなる特性を有している。
【０００３】
複数の有機ＥＬ素子を用いた照明装置の発光量を変化させる場合に、全ての有機ＥＬ素子の発光量が一律に変化する照明装置がある。この照明装置では、全ての有機ＥＬ素子のうち一部の有機ＥＬ素子の発光により、必要な発光量が得られるような場合にも、全ての有機ＥＬ素子が発光することとなり、全ての有機ＥＬ素子の寿命が短くなってしまう。
【０００４】
特許文献１には、複数の有機ＥＬ素子を用いた装置が記載されている。特許文献１に記載の装置では、コントローラが、有機ＥＬ素子ごとに、有機ＥＬ素子の調光を制御する。このため、特定の発光量で点灯させる場合には、複数の有機ＥＬ素子のうち一部の有機ＥＬ素子のみを選択して発光させることにより、必要な発光量を確保することができる。
【先行技術文献】
【特許文献】
【０００５】
【特許文献１】特開２００９−２６６８０４号公報（図１）
【発明の概要】
【発明が解決しようとする課題】
【０００６】
特許文献１に記載の装置では、特定の発光量で点灯させる状況で、一部の有機ＥＬ素子のみが固定的に選択されて発光する場合、一部の有機ＥＬ素子は、他の有機ＥＬ素子に比べて、発光時間が長くなり、寿命が短くなる。このため、照明装置では、一部の発光素子の寿命が、他の発光素子に比べて極端に短くなってしまう場合があるという問題があった。
【０００７】
本発明の目的は、上記した課題を解決する照明装置および点灯制御方法を提供することにある。
【課題を解決するための手段】
【０００８】
本発明の照明装置は、駆動電力を生成する電力生成手段と、前記駆動電力が供給されたときに発光する複数の発光手段と、前記複数の発光手段のうち第１発光手段に前記駆動電力を供給するとともに、他の発光手段への前記駆動電力の供給を抑制する供給手段と、前記複数の発光手段の劣化量を測定する測定手段と、前記第１発光手段の劣化量が閾値を超える場合には、前記他の発光手段のうちの第２発光手段に前記駆動電力を供給するとともに、前記第１発光手段への前記駆動電力の供給を抑制するように前記供給手段を制御する制御手段と、を含む。
【０００９】
本発明の点灯制御方法は、駆動電力を生成する電力生成手段と、前記駆動電力が供給されたときに発光する複数の発光手段と、を含む照明装置であって、前記複数の発光手段のうち第１発光手段に前記駆動電力を供給するとともに、他の発光手段への前記駆動電力の供給を抑制する供給ステップと、前記複数の発光手段の劣化量を測定する測定ステップと、前記第１発光手段の劣化量が閾値を超えるときは、前記他の発光手段のうちの第２発光手段に前記駆動電力を供給するとともに、前記第１発光手段への前記駆動電力の供給を抑制するように制御する制御ステップと、を有する。
【発明の効果】
【００１０】
本発明によれば、照明装置の発光素子の寿命を長くすることが可能になる。
【図面の簡単な説明】
【００１１】
【図１】本実施形態における照明装置１００の構成例を示すブロック図である。
【図２】点灯制御方法の処理手順を示すフローチャートである。
【図３】本実施形態における照明装置１００の変形例を示すブロック図である。
【発明を実施するための形態】
【００１２】
以下、本発明の一実施形態について図面を参照して説明する。
【００１３】
図１は、本発明の実施形態における照明装置の構成例を示すブロック図である。
【００１４】
照明装置１００は、一定の照度で点灯する点灯モードを有する照明器具である。この点灯モードとしては、就寝時などに僅かな明かりで点灯する常夜球モードや非常モードなどがある。
【００１５】
本実施形態では、照明装置１００は、常夜球モードを有し、常夜球モードのコマンドとして、所定発光量を指示する所定指示情報（以下「常夜球情報」と称する。）を、使用者の操作により受け付けると、低照度で点灯する。また、照明装置１００は、常夜球情報と異なる情報を受け付ける。常夜球情報と異なる情報として、例えば、所定発光量よりも大きい発光量を指示する特定指示情報や、点灯を停止する停止情報などが挙げられる。
【００１６】
照明装置１００は、発光部１１０および１２０と、電源回路１３０と、供給先切替部１４０と、カウンタ１５０と、制御部１６０と、を備える。
【００１７】
発光部１１０および１２０の各々は、一般的に、第１発光手段、第２発光手段または他の発光手段と呼ぶことができる。
【００１８】
発光部１１０および１２０は、電源回路１３０により生成される電力（以下「駆動電力」と称する。）が供給されたときに発光する。発光部１１０および１２０の各々は、複数の発光素子により構成される。
【００１９】
本実施形態では、発光部１１０は、発光素子１１１から１１３により構成される。発光部１２０は、発光素子１２１から１２３により構成される。発光素子１１１から１１３および１２１から１２３の各々は、有機ＥＬ素子であり、ＯＬＥＤ（Organic Light-Emitting Diode：有機発光ダイオード）またはＯＬＥＤ素子により実現される。
【００２０】
有機ＥＬ素子は、発光時間が長くなるほど、有機ＥＬ素子の劣化度合いを示す劣化量が大きくなる。このため、有機ＥＬ素子は、発光時間が長くなると、寿命が短くなる特性を有している。また、有機ＥＬ素子は、発光時における有機ＥＬ素子の周辺の湿度が高くなるほど、劣化量も大きくなる。さらに、有機ＥＬ素子は、湿度が高いときには、温度が高くなるにつれて劣化量が高くなる。
【００２１】
発光素子１１１から１１３および１２１から１２３の各々は、供給先切替部１４０から駆動電力の供給を受けたときに発光する。発光素子１１１から１１３および１２１から１２３の各々は、駆動電力が大きくなるにつれて、発光量が大きくなる。
【００２２】
電源回路１３０は、一般的に電力生成手段と呼ぶことができる。
【００２３】
電源回路１３０は、発光部１１０または１２０を発光させるための駆動電力を生成する。
【００２４】
本実施形態では、電源回路１３０は、制御部１６０の制御に従って、発光部１１０または１２０に供給される駆動電力を生成する。電源回路１３０は、商用電源の電源電圧を、一定の直流電圧に変換する。電源回路１３０は、例えば、商用電源の電源電圧を全波整流して、その全波整流された電圧を、一定の直流電圧に変換する。
【００２５】
また、電源回路１３０は、制御部１６０から、駆動電力の大きさを制御するための制御信号としてパルス幅変調信号を受け付けると、そのパルス幅変調信号に基づいて一定の直流電圧にパルス幅変調を施す。
【００２６】
電源回路１３０は、例えば、常夜球モード時に生成される常夜球情報に対応するパルス変調信号を受け付けると、発光部１１０または１２０に供給する直流電圧の単位時間あたりの供給時間を、予め定められた時間に設定する。また、電源回路１３０は、特定指示情報に対応するパルス変調信号を受け付けると、常夜球モード時に比べて、単位時間あたりの直流電圧の供給時間を長くする。
【００２７】
あるいは、電源回路１３０は、制御部１６０から、駆動電力の大きさを制御するための制御信号として、電圧振幅信号を受け付けると、その電圧振幅信号に応じて直流電圧の振幅を変化させる。電源回路１３０は、例えば、常夜球モード時に生成される常夜球情報に対応する電圧振幅信号を受け付けると、一定の周期で発光部１１０または１２０に供給する直流電圧の振幅（大きさ）を、予め定められた電圧の大きさに設定する。また、電源回路１３０は、特定指示情報に対応するパルス変調信号を受け付けると、常夜球モードに比べて、直流電圧を大きくする。
【００２８】
供給先切替部１４０は、一般的に供給手段と呼ぶことができる。
【００２９】
供給先切替部１４０は、発光部１１０または１２０のうち第１発光部（例えば、発光部１１０）に駆動電力を供給するとともに、他の発光部のうちの第２発光部（例えば、発光部１２０）への駆動電力の供給を抑制する。また、供給先切替部１４０は、特定指示情報が受け付けられた場合には、発光部１１０および１２０のそれぞれに駆動電力を供給する。
【００３０】
本実施形態では、供給先切替部１４０は、電気的または機械的なスイッチングによって、電力供給先を変更・選択する。供給先切替部１４０は、常夜球情報が受け付けられた場合には、発光部１１０または１２０のうち一方を示す切替信号を、制御信号として制御部１６０から受け付ける。供給先切替部１４０は、切替信号を受け付けると、その切替信号に示される発光部に駆動電力を供給する。
【００３１】
カウンタ１５０は、一般的に測定手段と呼ぶことができる。
【００３２】
カウンタ１５０は、発光部１１０または１２０の発光時間（駆動時間）を、劣化量としてそれぞれ測定する。本実施形態では、カウンタ１５０は、カウントの開始を指示する起動信号を制御部１６０から受け付けると、カウントアップ（発光時間の測定）を開始する。
【００３３】
また、カウンタ１５０は、カウントの停止を指示する停止信号を制御部１６０から受け付けると、カウントアップを停止する。そして、カウンタ１５０は、そのカウント値を、制御部１６０に出力する。カウンタ１５０として、例えば、デジタルカウンタや抵抗・コンデンサを用いたアナログ回路などが用いられてもよい。
【００３４】
制御部１６０は、一般的に制御手段と呼ぶことができる。
【００３５】
制御部１６０は、カウンタ１５０にて測定された第１発光部（例えば、発光部１１０）の劣化量が閾値（以下「切替閾値」と称する。）を超える場合には、第２発光部（例えば、発光部１２０）に駆動電力を供給するとともに、第１発光部への駆動電力の供給を抑制するように供給先切替部１４０を制御する。
【００３６】
本実施形態では、制御部１６０は、電源回路１３０、供給先切替部１４０およびカウンタ１５０の各々を制御する。制御部１６０は、使用者の操作によって生成される常夜球情報、または、常夜球情報と異なる情報を受け付ける。
【００３７】
制御部１６０は、発光部１１０および１２０の調光を制御する。制御部１６０は、使用者の操作によって生成される常夜球情報を受け付けると、常夜球モードに対応するパルス変調信号または電圧振幅信号を電源回路１３０に供給するとともに、発光部１１０または１２０のいずれか一方を示す切替信号を供給先切替部１４０に供給する。
【００３８】
また、制御部１６０は、カウンタ１５０を用いて、常夜球モード時の発光部１１０または１２０の発光時間を測定する。制御部１６０は、常夜球情報を受け付けると、カウンタ１５０に起動信号を供給する。
【００３９】
また、制御部１６０は、常夜球情報を受け付けた後、常夜球情報と異なる情報を受け付けると、カウンタ１５０に停止信号を供給する。そして、制御部１６０は、カウンタ１５０から出力されたカウント値を、劣化量として受け付ける。このカウント値は、制御部１６０に保持される。
【００４０】
また、制御部１６０は、常夜球情報を受け付けたときは、一定の条件に基づいて、発光部１１０または１２０のうち、いずれか一方を、電力供給先として選択する。本実施形態では、制御部１６０は、保持しているカウント値が、予め定められた切替閾値を超えているか否かを一定の条件として、発光部を選択する。なお、切替閾値は、制御部１６０に予め保持されている。
【００４１】
具体的には、制御部１６０は、常夜球情報を受け付けたときに、発光部１１０または１２０の発光時間を示すカウント値と、切替閾値と、を比較する。
【００４２】
制御部１６０は、例えば、第１発光部の発光時間を示すカウント値が、切替閾値を超えている場合には、駆動電力の供給先を、第１発光部（例えば、発光部１１０）から第２発光部（例えば、発光部１２０）に切り替えるように供給先切替部１４０を制御する。このため、制御部１６０は、第１発光部のカウント値が、切替閾値を超えている場合には、第２発光部を示す切替信号を、供給先切替部１４０に供給する。
【００４３】
さらに、制御部１６０は、第１発光部のカウント値が、切替閾値を超えている場合には、カウンタ１５０のカウント値をリセットした後に、起動信号を出力する。これにより、カウンタ１５０は、第２発光部の発光時間の測定を開始する。
【００４４】
一方、制御部１６０は、第１発光部のカウント値が、切替閾値を超えていない場合には、発光部の切替えを行うことなく、第１発光部を示す切替信号を、供給先切替部１４０に供給する。
【００４５】
また、制御部１６０は、特定指定情報を受け付けると、発光部１１０および１２０の両者に駆動電力を供給するように、供給先切替部１４０を制御する。このため、制御部１６０は、特定指定情報を受け付けると、発光部１１０および１２０の両者を示す切替信号を、供給先切替部１４０に供給する。
【００４６】
次に、照明装置１００の動作について説明する。
【００４７】
図２は、照明装置１００における点灯制御方法の処理手順例を示すフローチャートである。
【００４８】
まず、制御部１６０は、使用者の操作によって生成された常夜球情報を受け付ける（ステップＳ９０１）。制御部１６０が、常夜球情報を受け付けると、制御部１６０は、保持しているカウンタ１５０の出力値が、切替閾値を超えているか否かを判断する（ステップＳ９０２）。
【００４９】
制御部１６０は、出力値が切替閾値を超えていない場合には、電力供給先の切替えを行うことなく、一方の発光部に駆動電力を供給するとともに、他方の発光部への駆動電力の供給を抑制する（ステップＳ９０５）。
【００５０】
一方、制御部１６０は、出力値が切替閾値を超えている場合には、他方の発光部に駆動電力を供給するとともに、一方の発光部への駆動電力の供給を抑制するように供給先切替部１４０を制御する（ステップＳ９０３）。さらに、制御部１６０は、カウンタ１５０をリセットする。
【００５１】
ステップＳ９０５またはＳ９０３の処理後、制御部１６０は、駆動電力が供給されている発光部の駆動時間（発光時間）を測定するために、カウンタ１５０に起動信号を供給する（ステップＳ９０４）。そして、制御部１６０は、常夜球情報と異なる情報を受け付けると、カウンタ１５０に停止信号を供給し、カウンタ１５０の出力値を保持して、点灯制御方法の処理手順が終了する。
【００５２】
本実施形態によれば、照明装置１００が、複数の発光部１１０および１２０を有し、供給先切替部１４０が、第１発光部（例えば、発光部１１０）に駆動電力を供給するとともに、他の発光部のうち第２発光部（例えば、発光部１２０）への駆動電力の供給を抑制する。
【００５３】
このため、照明装置１００は、第１発光部の発光により、所定発光量で点灯することができる。また、照明装置１００は、第２発光部が発光しないことから、第１発光部に比べて、第２発光部の劣化量が小さくなるため、第２発光部の寿命を延ばすことができる。したがって、照明装置１００は、全ての発光部１１０および１２０を発光させる場合に比べて、第２発光部の寿命を長くすることができる。
【００５４】
さらに、本実施形態では、カウンタ１５０が、複数の発光部１１０および１２０の発光時間を劣化量として測定する。また、制御部１６０が、第１発光手段（例えば、発光部１１０）の劣化量が閾値を超えるときは、第２発光部（例えば、発光部１２０）に駆動電力を供給するとともに、第１発光部（例えば、発光部１１０）への駆動電力の供給を抑制するように、供給先切替部１４０を制御する。
【００５５】
このため、照明装置１００は、第１発光部の劣化量が、第２発光部に比べて極端に大きくなることを抑制することができる。よって、照明装置１００は、第１発光部および第２発光部の両者の劣化量の偏りを抑制することができ、一部の発光素子の寿命のみが極端に短くなることを防止することができる。
【００５６】
したがって、照明装置１００は、全ての発光部１１０および１２０を発光させる場合に比べて、発光部１１０および１２の両者の劣化量を小さくすることができるため、両者の寿命を長くすることができる。
【００５７】
また、本実施形態では、発光部１１０および１２０の各々が、有機ＥＬ素子により構成されることによって、発光部１１０および１２０を低電圧で駆動することができ、かつ、発光部１１０および１２０の膜厚を薄くすることができる。
【００５８】
また、本実施形態では、制御部１６０が、第２発光部（例えば、発光部１２０）の劣化量が閾値を超える場合には、第１発光部（例えば、発光部１１０）に駆動電力を供給するとともに、第２発光部への駆動電力の供給を抑制するように供給先切替部１４０を制御する。
【００５９】
このため、照明装置１００は、電力供給先を、第１発光部と第２発光部とに交互に切り替えることができ、第１発光部の劣化量と第２発光部の劣化量との差分を定常的に小さくすることができる。
【００６０】
また、本実施形態では、制御部１６０が、所定指示情報を受け付けると、供給先切替部１４０に、第１発光部に駆動電力を供給するとともに他の発光部への駆動電力の供給を抑制する動作を行わせ、第１発光部の劣化量が閾値を超える場合には、第２発光部に駆動電力を供給するとともに第１発光部への駆動電力の供給を抑制し、また、所定指示情報と異なる特定指示情報を受け付けると、複数の発光部に駆動電力をそれぞれ供給するように供給先切替部１４０を制御する。
【００６１】
このため、照明装置１００は、発光部１１０または１２０の一方だけでは得られない発光量を指示する特定指示情報を受け付けた場合に、発光部１１０および１２０の両者を駆動させることによって、必要な発光量を確保することができる。
【００６２】
次に、照明装置１００の変形例について説明する。
【００６３】
図３は、照明装置１００の変形例を示すブロック図である。
【００６４】
照明装置２００は、図１に示した照明装置１００の変形例である。照明装置２００は、カウンタ１５０および制御部１６０に代えて、測定部２５０および制御部２６０を備えている。また、発光部１１０、発光部１２０、電源回路１３０および供給先切替部１４０は、図１に示した構成と同様のものであるため、図１と同一符号を付してここでの説明を省略する。
【００６５】
測定部２５０は、一般的に測定手段と呼ぶことができる。
【００６６】
測定部２５０は、発光部１１０および１２０の発光時間と、照明装置２００の近傍の湿度または温度と、に基づいて、発光部１１０および１２０の劣化量を測定する。測定部２５０は、カウンタ２５１と、環境検出部２５２と、算出部２５３と、を備える。
【００６７】
カウンタ２５１は、一般的に計測手段と呼ぶことができる。
【００６８】
カウンタ２５１は、発光部１１０および１２０の発光時間をそれぞれ計測する。カウンタ２５１は、図１に示したカウンタ１５０と同様の構成である。カウンタ２５１は、制御部２６０から起動信号を受け付けると、発光部１１０または１２０の発光時間の計測を開始する。カウンタ２５１は、制御部２６０から停止信号を受け付けると、発光時間の計測を停止してカウント値を算出部２５３に出力する。
【００６９】
環境検出部２５２は、一般的に検出手段と呼ぶことができる。
【００７０】
環境検出部２５２は、照明装置２００の近傍の湿度または温度を検出する。環境検出部２５２は、例えば、湿度センサまたは温度センサにより実現される。環境検出部２５２は、検出結果を、算出部２５３に出力する。
【００７１】
算出部２５３は、一般的に算出手段と呼ぶことができる。
【００７２】
算出部２５３は、カウンタ２５１にて計測された発光時間と、環境検出部２５２での検出結果とに基づいて、発光部１１０または１２０の劣化量を算出する。
【００７３】
本実施形態では、算出部２５３は、発光素子の周辺の湿度および温度と、発光素子の劣化率と、の関係を示すテーブル情報を予め保持する。テーブル情報は、湿度が高くなるにつれて劣化率が高くなる。また、湿度の高い範囲では、温度が高くなるにつれて劣化率が高くなる。なお、テーブル情報は、例えば、サンプルの発光素子の特性を測定し、その測定結果に基づいて生成される。
【００７４】
また、算出部２５３は、テーブル情報を参照し、環境検出部２５２での検出結果に基づいて劣化率を特定し、その特定された劣化率を、カウンタ２５１の出力値に乗算して、その乗算値を、劣化量として制御部２６０に供給する。
制御部２６０は、一般的に制御手段と呼ぶことができる。
制御部２６０は、算出部２５３にて算出された第１発光部（例えば、発光部１１０）の劣化量が切替閾値を超える場合には、第２発光部（例えば、発光部１２０）に駆動電力を供給するとともに、第１発光部への駆動電力の供給を抑制するように供給先切替部１４０を制御する。制御部２６０の他の動作は、図１に示した制御部１６０と同様のものである。
【００７５】
本実施形態における照明装置２００では、カウンタ２５１が、発光部１１０および１２０の発光時間を計測し、環境検出部２５２が、照明装置２００の周辺の湿度または温度を検出する。また、算出部２５３が、環境検出部２５２での検出結果と、カウンタ２５１で計測された発光時間と、に基づいて劣化量を算出する。
【００７６】
このため、計測部２５０は、発光時における温度または湿度に応じて変化する発光部１１０または１２０の劣化度合いを考慮して、発光部１１０および１２０の劣化量を精度良く算出することができる。よって、照明装置２００は、第１発光部の寿命と、第２発光部の寿命と、をより正確に推定できるため、第１発光部と第２発光部との寿命のばらつきを、より低減することができる。
【００７７】
なお、本実施形態では、常夜球モードにおいて２つの発光部１１０および１２０のうち一方の発光部に駆動電力を供給する例について説明したが、３つ以上の発光部のうち１つの発光部に駆動電力を供給するようにしてもよい。この場合、照明装置は、例えば、発光部１１０および１２０に加えて第３発光部（第３発光手段）と、各発光手段の発光時間（劣化量）をそれぞれ測定するカウンタと、を有する。また、照明装置は、発光部１１０および１２０の発光時間が切替閾値をそれぞれ超えるときは、制御部１６０が、第３発光部に駆動電力を供給するとともに、発光部１１０および１２０への駆動電力の供給を抑制するように制御する。すなわち、制御部１６０は、発光部１１０および１２０の発光時間が切替閾値をそれぞれ超えるとき、発光時間が最も短い発光部に駆動電力を供給し、他の発光部への駆動電力の供給を抑制するための切替信号を、供給先切替部１４０に供給する。
【００７８】
また、本実施形態では、制御部１６０が、カウント値と切替閾値とに基づいて電力供給先を切り替える例について説明したが、常夜球情報を受け付けるたびに、電力供給先を切り替えるようにしてもよい。
【００７９】
また、本実施形態では、発光部１１０および１２０の発光素子が有機ＥＬ素子により構成される例について説明したが、発光素子として白熱灯や蛍光灯などが用いられてもよい。白熱灯や蛍光灯なども発光時間により寿命が短くなることから、常夜球モードにおいて、発光部１１０および１２０への電力供給を交互に切り替えることにより、発光素子の寿命をより長くすることができる。
【００８０】
以上説明した実施形態において、図示した構成は単なる一例であって、本発明はその構成に限定されるものではない。
【符号の説明】
【００８１】
１００、２００  照明装置
１１０、１２０  発光部
１３０  電源回路
１４０  供給先切替部
１５０、２５１  カウンタ
１６０、２６０  制御部
２５０  測定部
２５２  環境検出部
２５３  算出部
【図１】
0005561767.tif 000002
【図２】
0005561767.tif 000003
【図３】
0005561767.tif 000004